(57)【特許請求の範囲】
【請求項１】
外周部に溝部が形成されたプーリーと、このプーリーの上方に配設された、上方に開口部を有するオイルボックスと、このオイルボックスに連通するオイル排出路とを備えたオイル滴下装置と、上記プーリーの下方に設置されたオイル溜りと、先端部が上記オイル溜り内に延長する、上記プーリーに連動して回転する円盤とを備えるとともに、上記円盤の周縁部には、当該円盤の面から突出して上記オイル溜り内のオイルを上記オイルボックスの開口部近傍に跳ね上げるための複数の羽根部が設けられていることを特徴とするスチールワイヤ用オイル塗布装置。
【請求項２】
上記オイル溜りにオイルを供給するオイルタンクを設けるとともに、上記オイルタンクを上下させて、上記オイル溜りの液面の高さを調整可能としたことを特徴とする請求項１に記載のスチールワイヤ用オイル塗布装置。
【発明の詳細な説明】
【０００１】
【発明の属する技術分野】
本発明は、伸線処理されたスチールワイヤ表面にオイルを塗布するためのスチールワイヤ用オイル塗布装置に関するものである。
【０００２】
【従来の技術】
車両用スチールラジアルタイヤなどに使用されるゴム物品補強用スチールコードは、通常、高炭素鋼材などから成る素線を湿式伸線法により所望の線径に伸線処理した後、複数本撚り合わせて作製される。
ところで、上記伸線工程後、各素線を撚り合わせる工程において、伸線されたスチールワイヤを巻き出して撚り合わせるまでに、複数のガイドを通過するが、このガイド部分ではワイヤが擦られるため、ワイヤのすべりが悪いと抵抗が大きくなり、撚り点の各ワイヤのテンションレベルがばらついてしまい、スチールコードの狙いのクセ付け・構造に撚り合わされず、不良を発生させる要因となる。
【０００３】
そこで、上記ワイヤの巻き出しテンションを安定化させるために、伸線処理されたスチールワイヤ表面にオイルを塗布してワイヤのすべりを良くするようにしている。
図４は、従来の湿式伸線工程で用いられる紐吸い上げ式オイル塗布装置の構成を示す図で、このオイル塗布装置５０は、オイル溜り５１のオイル２を綿などから成るオイル吸い上げ紐５２でプーリー５３上に吸い上げ、このプーリー５３を通過するスチールワイヤ１の表面に上記吸い上げられたオイル２を塗布するものである。
【０００４】
【発明が解決しようとする課題】
しかしながら、上記従来のオイル塗布装置５０では、オイル吸い上げ量が安定しないため、スチールワイヤ１へのオイル付着量を適正に制御することが困難であった。オイル付着量が狙いよりも低下した場合には、後の撚り線工程において、巻きだしテンションが安定せず撚り乱れが発生する。逆に、オイル付着量が狙いよりも多くなった場合には、撚り線工程でのオイルの飛散による汚れ等が発生し、作業環境を著しく悪化させてしまうばかりでなく、安全面などにも問題がある。
また、上記オイル塗布装置５０は、長期稼動により、オイル吸い上げ紐５２が目詰まりを起こすなどして劣化すると、スチールワイヤ１表面のオイル付着量が急激に低下してしまうため、オイル吸い上げ紐５２を頻繁に交換する必要があり、そのため、管理工数がかかってしまうといった問題点があった。
【０００５】
本発明は、上記問題点を解決するためになされたもので、簡単な構成で、伸線処理されたスチールワイヤ表面に所定量のオイルを安定して塗布することのできるスチールワイヤ用オイル塗布装置を提供することを目的とする。
【０００６】
【課題を解決するための手段】
本発明の請求項１に記載のスチールワイヤ用オイル塗布装置は、外周部に溝部が形成されたプーリーと、このプーリーの上方に配設された、上方に開口部を有するオイルボックスと、このオイルボックスに連通するオイル排出路とを備えたオイル滴下装置と、上記プーリーの下方に設置されたオイル溜りと、先端部が上記オイル溜り内に延長する、上記プーリーに連動して回転する円盤とを備えるとともに、上記円盤の周縁部には、当該円盤の面から突出して上記オイル溜り内のオイルを上記オイルボックスの開口部近傍に跳ね上げるための複数の羽根部が設けられていることを特徴とするものである。これにより、上記溝部を通過するスチールワイヤにより回転するプーリー上に、上記オイル排出路からオイルボックス内のオイルを滴下して上記スチールワイヤ表面にオイルを供給するとともに、上記プーリーに連動して回転する上記円盤の羽根部により、オイル溜りのオイルを上記オイルボックスの開口部近傍まで跳ね上げ、滴下されたオイルの一部を回収することができる。したがって、簡単な構成で、スチールワイヤに安定して適量のオイルを滴下することが可能となる。
【０００７】
請求項２に記載のスチールワイヤ用オイル塗布装置は、上記オイル溜りにオイルを供給するオイルタンクを設けるとともに、上記オイルタンクを上下させて、上記オイル溜りの液面の高さを調整可能としたもので、これにより、羽根付き円盤によるオイルの跳ね上げ量を増減させて、プーリーに滴下するオイル量を増減させることができるので、スチールワイヤへのオイル付着量を容易に制御することが可能となる。
【０００８】
【発明の実施の形態】
以下、本発明の実施の形態について、図面に基づき説明する。
図１（ａ），（ｂ）は本発明の実施の形態に係るスチールワイヤ用オイル塗布装置１０の構成を示す図で、同図において、１１はその外周部に高速で巻き取られるスチールワイヤ１が通過するＶ溝１１ａが形成されたプーリー、１２は上記プーリー１１の上方に配設されたオイル滴下装置で、上方に開口する箱状のオイルボックス１３中のオイル２を、上記オイルボックス１３に連通するオイル排出部１４の滴下溝（オイル排出路）１４ｂの開口端１４ａから上記プーリー１１上に滴下する。
１５は上記プーリー１１の下方に設置されたオイル溜りで、このオイル溜り１５にはオイルタンク１６からホース１７を介して供給されたオイル２が収納されている。１８はその中心で上記プーリー１１の回転軸１１ｂに連結された、径が上記プーリー１１の径よりも大きな羽根付き円盤で、この羽根付き円盤１８の径は、周縁部に円盤の面から突出するように形成された複数の羽根部１８ｋの先端部が上記オイル溜り１５内のオイル２の液面下に位置するような大きさに設定されている。
なお、本例では、上記オイルタンク１６の高さを調整するためのオイルタンク昇降手段１９を設けて、オイル溜り１５の液面の高さを調整可能としている。
このオイル塗布装置１０は、スチールワイヤ１が伸線工程の最終引き抜きダイスを出て撚線機の巻取装置で巻き取られるまでの間の、所定の位置に設置されるもので、巻き取られるスチールワイヤ１との摩擦により上記プーリー１１が回転するように、所定角以上スチールワイヤ１と接触させるようにセッティングする。
【０００９】
次に、上記構成のオイル塗布装置１０の動作について説明する。
オイル塗布装置１０のプーリー１１は、そのＶ溝１１ａ中を通過する高速で巻き取られるスチールワイヤ１との接触により回転する。このプーリー１１上には、オイル滴下装置１２の滴下溝１４ｂからオイル２が滴下され、このオイル２がプーリー１１のＶ溝１１ａに沿って運ばれ、上記Ｖ溝１１ａ中を通過するスチールワイヤ１の表面に塗布される。
このとき、羽根付き円盤１８は上記プーリー１１の回転に連動して回転するので、オイル溜り１５中のオイル２は、羽根部１８ｋより上方、すなわち、プーリー１１上部のオイルボックス１３の開口部１３ａ近傍に跳ね上げられ、オイルボックス１３内に戻される。
本例では、オイルタンク昇降手段１９を設け、オイルタンク１６の高さを調整することにより、スチールワイヤ１へのオイル付着量を調整するようにしている。すなわち、オイルタンク１６を上昇させると、このオイルタンク１６とホース１７により連通しているオイル溜り１５の液面が高くなるので、羽根付き円盤１８によるオイル跳ね上げ量が増加し、これにより、プーリー１１へのオイル滴下量が増加するので、スチールワイヤ１へのオイル付着量が増加する。逆に、オイルタンク１６を下降させると、オイル溜り１５の液面が下がってオイル跳ね上げ量が減少し、プーリー１１へのオイル滴下量が減少する。
本発明のオイル塗布装置１０では、図２のグラフに示すように、スチールワイヤ１へのオイル付着量（ｍｇ／ｋｇ）はプーリー１１へのオイル滴下量（滴／分）にほぼ比例して増減するので、スチールワイヤ１へ適量のオイルを安定して供給することができる。
【００１０】
【実施例】
伸線工程にて０．１０〜０．４０ｍｍの線径に仕上げられたスチールワイヤを線速６００〜１２００ｍ／ｍｉｎの高速で巻き取る間に、本発明によるオイル塗布装置を設置し、プーリーへのオイル滴下量を６０滴／分に設定して、上記スチールワイヤへオイルを塗布し、オイル付着量の分布状態を調べた結果を図３（ａ）の分布図に示す。また、比較のため、従来の紐吸い上げ式オイル塗布装置で塗布した結果を図３（ｂ）の分布図に示す。なお、測定点はそれぞれ１００ポイントとした。
図３（ａ），（ｂ）から明らかなように、従来の装置では、オイル付着量のバラツキが大きい（σ＝５６．９）のに対し、本発明のオイル塗布装置を用いた場合には、付着量のばらつきは極めて小さく（σ＝２５．８）、スチールワイヤへのオイルを安定して供給することができることが確認された。
【００１１】
【発明の効果】
以上説明したように、本発明によれば、プーリー上にオイルボックス内のオイルを滴下して、プーリーの溝部を通過するスチールワイヤ表面にオイルを供給するとともに、プーリーに連動して回転する羽根付き円盤を設けて、オイル溜りのオイルを上記オイルボックス近傍まで跳ね上げ、滴下されたオイルの一部を回収するようにしたので、簡単な構成で、スチールワイヤに安定して適量のオイルを滴下することができる。
また、上記オイル溜りにオイルを供給するオイルタンクを設け、このオイルタンクを上下させて、上記オイル溜りの液面の高さを調整可能としたので、スチールワイヤへのオイル付着量を容易に調整することができる。
【図面の簡単な説明】
【図１】  本実施の形態に係るスチールワイヤ用オイル塗布装置の構成を示す図である。
【図２】  プーリーへのオイル滴下量とワイヤのオイル付着量との関係を示すグラフである。
【図３】  本発明のスチールワイヤ用オイル塗布装置と従来の紐吸い上げ式オイル塗布装置におけるオイル付着量の分布図である。
【図４】  従来の紐吸い上げ式オイル塗布装置の構成を示す図である。
【符号の説明】
１  スチールワイヤ、２  オイル、１０  スチールワイヤ用オイル塗布装置、１１  プーリー、１１ａ  Ｖ溝、１１ｂ  回転軸、１２  オイル滴下装置、１３  オイルボックス、１３ａ  オイルボックスの開口部、１４  オイル排出部、１４ａ  開口端、１４ｂ  滴下溝、１５  オイル溜り、１６  オイルタンク、１７  ホース、１８  羽根付き円盤、１８ｋ  羽根部、１９  オイルタンク昇降手段。
【図１】
0004018384.tif 000002
【図２】
0004018384.tif 000003
【図３】
0004018384.tif 000004
【図４】
0004018384.tif 000005